(57)【要約】【課題】フレームおよびクラスプの一体品を作製する場合において、製造コストに優れるとともに位置精度に優れる部分義歯を製造できる部分義歯製造用糸状体、部分義歯用金属フレームの製造方法、部分義歯の製造方法を提供すること。【解決手段】加熱消失性を有する有機材料で直線状に成形され、曲げ変形可能な弾性と曲げ方向の弾性復元力を備えて直線状に形状が維持された部分義歯製造用糸状体１０をフレーム形のワックスパターン４０に固定することで本模型３０から取り外して耐火性埋没材に埋没させ、フレーム形の鋳型を作製して、金属フレーム２６を鋳造する。【選択図】図２
2018015390.tif 000002
【特許請求の範囲】
【請求項１】
加熱消失性を有する有機材料で直線状に成形されており、曲げ変形可能な弾性と曲げ方向の弾性復元力を備えて直線状に形状が維持されており、部分義歯用の金属フレームを形成するためのフレーム形のワックスパターンの形状を維持するために用いられ、前記ワックスパターンに対しワックスを用いて固定されるものであることを特徴とする部分義歯製造用糸状体。
【請求項２】
直径が０．５〜２．０ｍｍの範囲内であることを特徴とする請求項１に記載の部分義歯製造用糸状体。
【請求項３】
有機材料からなる撚糸に接着剤を浸み込ませて硬化させたものからなることを特徴とする請求項１または２に記載の部分義歯製造用糸状体。
【請求項４】
前記接着剤が、シアノアクリレート系接着剤であることを特徴とする請求項３に記載の部分義歯製造用糸状体。
【請求項５】
請求項１から４のいずれか１項に記載の部分義歯製造用糸状体を用いた部分義歯用金属フレームの製造方法であって、
本模型に前記フレーム形のワックスパターンを作製する工程と、
前記ワックスパターンに、ワックスを用いて前記部分義歯製造用糸状体の１本以上を固定する工程と、
前記部分義歯製造用糸状体とともに前記ワックスパターンを前記本模型から取り外し、耐火性埋没材に埋没させる工程と、
該耐火性埋没材ごと加熱し、前記部分義歯製造用糸状体とともに前記ワックスパターンを消失させて、前記フレーム形の鋳型を作製する工程と、
前記フレーム形の鋳型に溶融金属を流し込んで金属フレームを鋳造する工程と、
を有することを特徴とする部分義歯用金属フレームの製造方法。
【請求項６】
前記ワックスパターンにおけるクラスプに相当する部位に、ワックスを用いて前記部分義歯製造用糸状体の端部を固定することを特徴とする請求項５に記載の部分義歯用金属フレームの製造方法。
【請求項７】
請求項５または６に記載の製造方法で製造された部分義歯用金属フレームに対し、樹脂製の義歯床および人工歯を固定することを特徴とする部分義歯の製造方法。
【発明の詳細な説明】
【技術分野】
【０００１】
本発明は、部分義歯製造用糸状体、部分義歯用金属フレームの製造方法、部分義歯の製造方法に関するものである。
【背景技術】
【０００２】
義歯は、顎堤粘膜に密着する樹脂製の義歯床と、義歯床に固定された人工歯と、を備える。樹脂製の義歯床は、補強目的で、金属製のフレームに一体成形することがある。金属使用量が制限される保険適用の場合、金属製のフレームは細いフレームとなる。義歯は、全体義歯と部分義歯に分けられる。全体義歯は無歯顎の顎堤粘膜全体を覆うように形成されるのに対し、部分義歯は一部欠損の顎堤粘膜を覆うように形成される。部分義歯は装着した位置からずれるおそれがあるため、所望の位置に維持すべく、クラスプを備える。クラスプは、残存歯である鉤歯に掛ける留め金である。
【０００３】
従来、クラスプとフレームは、別体として作製されていた。クラスプとフレームは、義歯床のための樹脂の填入時に樹脂によって一体化されるか、樹脂の填入前に溶接などの接合方法にて一体化されている（特許文献１）。
【先行技術文献】
【特許文献】
【０００４】
【特許文献１】特開２０１３−２５５６２７号公報
【発明の概要】
【発明が解決しようとする課題】
【０００５】
樹脂によってクラスプとフレームを一体化する場合、樹脂の填入時にクラスプの移動が起こりやすい。このため、義歯床の完成後にも、クラスプの位置の調節が必要となる。一方、樹脂の填入前にクラスプとフレームを溶接などの接合方法で接合していれば、樹脂の填入時にクラスプの移動が生じない。しかし、溶接によるフレームの変形やクラスプの位置ズレなどが起こりやすい。したがって、この場合には、接合後に、クラスプの位置の調節が必要となる。
【０００６】
そこで、クラスプとフレームを一体成形する方法も採られている。この場合、一般に、以下の工程で作製される。
（１）歯科医により作製された本模型からシリコーンゴムの印象材を用いて雌型を作製する。
（２）作製した雌型に耐火性の石膏を注入して複模型を作製する。
（３）作製した複模型にフレームおよびクラスプが一体となる形のワックスパターンを作製する。
（４）複模型とともにワックスパターンを耐火性の埋没材に埋没させる。
（５）耐火性の埋没材ごと加熱し、ワックスパターンを消失させて、フレームおよびクラスプが一体となる形の鋳型を作製する。
（６）鋳型に溶融金属を流し込んで、フレームおよびクラスプの一体品を鋳造する。
（７）埋没材からフレームおよびクラスプの一体品を取り出す。
【０００７】
しかし、上記方法でフレームおよびクラスプの一体品を鋳造する場合には、ワックスパターンを作製する際に、シリコーンゴムの印象材を用いた雌型の作製と、耐火性の石膏を用いた複模型の作製を行う必要がある。これらは高価な材料である上、工程も多く、作製コストが高いという問題がある。また、耐火性の石膏は比較的脆いことから、取り扱いに注意を要する。
【０００８】
一方、雌型および複模型を用いない方法でフレームおよびクラスプの一体品を鋳造する場合には、本模型に直接、フレームおよびクラスプが一体となる形のワックスパターンを作製することになる。本模型は非耐火性の石膏で作製されているため、ワックスパターンの鋳型を作製するためには、本模型からワックスパターンを外して耐火性の埋没材に埋没させる必要がある。保険適用の場合、ワックスパターンのフレームに相当する部分が細い。また、クラスプに相当する部分が微細である。このため、本模型から外す際に、フレームやクラスプに相当する部分の変形や、クラスプに相当する部分の位置ズレなどが生じるおそれがある。そうすると、鋳造されたフレームおよびクラスプの一体品において、クラスプの位置ズレなどの調整が必要となる。
【０００９】
本発明が解決しようとする課題は、製造コストに優れるとともに位置精度に優れるフレームおよびクラスプの一体品を鋳造できる部分義歯製造用糸状体と、これを用いた部分義歯用金属フレームの製造方法および部分義歯の製造方法を提供することにある。
【課題を解決するための手段】
【００１０】
上記課題を解決するため本発明に係る部分義歯製造用糸状体は、加熱消失性を有する有機材料で直線状に成形されており、曲げ変形可能な弾性と曲げ方向の弾性復元力を備えて直線状に形状が維持されており、部分義歯用の金属フレームを形成するためのフレーム形のワックスパターンの形状を維持するために用いられ、前記ワックスパターンに対しワックスを用いて固定されるものであることを要旨とするものである。
【００１１】
本発明に係る部分義歯製造用糸状体は、直径が０．５〜２．０ｍｍの範囲内であることが好ましい。また、有機材料からなる撚糸に接着剤を浸み込ませて硬化させたものからなることが好ましい。また、接着剤がシアノアクリレート系接着剤であることが好ましい。
【００１２】
そして、本発明に係る部分義歯用金属フレームの製造方法は、上記本発明に係る部分義歯製造用糸状体を用いた部分義歯用金属フレームの製造方法であって、本模型に前記フレーム形のワックスパターンを作製する工程と、前記ワックスパターンに、ワックスを用いて前記部分義歯製造用糸状体の１本以上を固定する工程と、前記部分義歯製造用糸状体とともに前記ワックスパターンを前記本模型から取り外し、耐火性埋没材に埋没させる工程と、該耐火性埋没材ごと加熱し、前記部分義歯製造用糸状体とともに前記ワックスパターンを消失させて、前記フレーム形の鋳型を作製する工程と、前記フレーム形の鋳型に溶融金属を流し込んで金属フレームを鋳造する工程と、を有することを要旨とするものである。
【００１３】
本発明に係る部分義歯用金属フレームの製造方法においては、前記ワックスパターンにおけるクラスプに相当する部位に、ワックスを用いて前記部分義歯製造用糸状体の端部を固定することが好ましい。
【００１４】
そして、本発明に係る部分義歯の製造方法は、上記本発明に係る部分義歯用金属フレームの製造方法で製造された部分義歯用金属フレームに対し、樹脂製の義歯床および人工歯を固定することを要旨とするものである。
【発明の効果】
【００１５】
本発明に係る部分義歯製造用糸状体によれば、曲げ変形可能な弾性と曲げ方向の弾性復元力で直線状に形状が維持されるものであるため、ワックスパターンの所定位置に固定することで、本模型に作製したワックスパターンを本模型から取り外してもワックスパターンの形状を維持することができる。したがって、複模型や雌型を作製する必要がないため、製造コストに優れるとともに位置精度に優れるフレームおよびクラスプの一体品を鋳造できる。
【００１６】
また、本発明に係る部分義歯用金属フレームの製造方法によれば、本発明に係る部分義歯製造用糸状体をワックスパターンの所定位置に固定することから、本模型に作製したワックスパターンを本模型から取り外してもワックスパターンの形状を維持することができる。したがって、複模型や雌型を作製する必要がないため、製造コストに優れるとともに位置精度に優れるフレームおよびクラスプの一体品を鋳造できる。
【００１７】
そして、本発明に係る部分義歯の製造方法によれば、上記本発明に係る部分義歯用金属フレームの製造方法で製造された部分義歯用金属フレームを用いることから、製造コストに優れるとともに位置精度に優れる部分義歯を製造できる。
【図面の簡単な説明】
【００１８】
【図１】本発明の一実施形態に係る部分義歯製造用糸状体の模式図である。
【図２】本発明に係る部分義歯用金属フレームの製造方法の一例を説明する模式図である。
【図３】本発明に係る部分義歯の製造方法の一例を説明する模式図である。
【図４】部分義歯の一例を示す模式図である。
【図５】部分義歯用金属フレームの一例を示す模式図である。
【図６】本模型の一例を示す模式図である。
【図７】本模型に対し、所定の位置に部分義歯用金属フレームを装着した図である。
【発明を実施するための形態】
【００１９】
次に、本発明の実施形態について図面を用いて詳細に説明する。
【００２０】
図４は、部分義歯の一例を示したものである。図４に示すように、部分義歯２０は、顎堤粘膜に密着させる樹脂製の義歯床２２と、義歯床２２に固定された人工歯２４と、義歯床２２に固定された金属フレーム（部分義歯用金属フレーム）２６と、を備えている。義歯床２２は、左の欠損部に配置される左側義歯床２２ａと右の欠損部に配置される右側義歯床２２ｂの左右２つの部分に分かれている。
【００２１】
図５は、部分義歯用金属フレームの一例を示したものである。図５に示すように、部分義歯用金属フレーム（以下、単に金属フレーム２６ということがある。）は、左側義歯床２２ａに固定され左の欠損部に配置される左小連結部２６１と、右側義歯床２２ｂに固定され右の欠損部に配置される右小連結部２６２と、左小連結部２６１と右小連結部２６２との間を連結する大連結部２６３と、を備え、これらが金属材料によって一体成形されたものからなる。左小連結部２６１は、左の欠損部に沿って延びる幅狭薄厚の棒状となっており、残存歯（鉤歯）に隣接する端部には、残存歯に掛けて部分義歯２０を固定するための左クラスプ２６４と、残存歯（鉤歯）の歯冠部を押さえる左レスト２６５と、を有している。同様に、右小連結部２６２は、右の欠損部に沿って延びる幅狭薄厚の棒状となっており、残存歯（鉤歯）に隣接する端部には、残存歯に掛けて部分義歯２０を固定するための右クラスプ２６６と、残存歯（鉤歯）の歯冠部を押さえる右レスト２６７と、を有している。大連結部２６３もまた幅狭薄厚の棒状に成形されている。
【００２２】
図６は、本模型の一例を示したものである。本模型は、通常、歯科医により作製される。図６に示すように、本模型３０は下顎の模型であり、左４番〜７番と右５番〜７番が欠損している。左側の残存歯はｌ１〜ｌ３であり、右側の残存歯はｒ１〜ｒ４である。左欠損部は３２であり、右欠損部は３４である。
【００２３】
図７は、本模型３０に対し、所定の位置に金属フレーム２６を装着した図である。図７に示すように、左小連結部２６１は左欠損部３２に配置され、左クラスプ２６４が鉤歯となる左３番の残存歯ｌ３に掛けられている。また、右小連結部２６２は右欠損部３４に配置され、右クラスプ２６６が鉤歯となる右４番の残存歯ｒ４に掛けられている。
【００２４】
このような金属フレーム２６は、本発明において、次のようにして作製される。本発明に係る金属フレームの製造方法は、以下の工程を有する。図２は、金属フレームの製造方法の一例を示したものである。
（１）本模型３０にフレーム形のワックスパターン４０を作製する工程（図２（ａ））。
（２）ワックスパターン４０に、ワックス４２を用いて本発明に係る部分義歯製造用糸状体１０を固定する工程（図２（ｂ））。
（３）部分義歯製造用糸状体１０とともにワックスパターン４０を本模型３０から取り外し（図２（ｃ））、耐火性埋没材に埋没させる工程。
（４）耐火性埋没材ごと加熱し、部分義歯製造用糸状体１０とともにワックスパターン４０を消失させて、フレーム形の鋳型を作製する工程。
（５）フレーム形の鋳型に溶融金属を流し込んで、金属フレームを鋳造する工程。
【００２５】
本模型３０は、一般に、非耐火性の石膏によって作製されている。このため、本模型３０とともにワックスパターン４０を耐火性埋没材に埋没させてワックスを消失させる温度まで加熱することはできない。そこで、従来は、本模型３０からシリコーンゴムの印象材を用いて雌型を作製し、作製した雌型に耐火性の石膏を注入して複模型を作製し、作製した複模型にフレーム形のワックスパターン４０を作製し、複模型とともにワックスパターン４０を耐火性埋没材に埋没させていた。しかし、これでは、材料費および工数の面で作製コストが高くなる。また、複製の回数が多くなるので、型の精度も落ちる。そこで、本発明では、本模型３０にフレーム形のワックスパターン４０を作製する。こうすることで、複製の回数が少なくなり、材料費、工数、型の精度の面で有利となる。
【００２６】
フレーム形のワックスパターン４０は、部分義歯用の金属フレーム２６を形成するためのワックスパターンであり、図２（ａ）に示すように、左小連結部２６１に相当するＡ部、右小連結部２６２に相当するＢ部、大連結部２６３に相当するＣ部、で構成されている。左小連結部２６１、右小連結部２６２、および大連結部２６３はいずれも幅狭薄厚の棒状であり、ワックスパターン４０は軟らかいので、変形しやすい。このため、さらに、Ａ部−Ｂ部間を橋架けするように幅狭薄厚の棒状のワックスを連結している。Ｃ部とこの連結部Ｄによってワックスパターン４０が環状に成形されているため、ワックスパターン４０の変形が抑えられやすくなっている。しかし、これらは全て柔らかいワックスで形成されているため、変形が十分に抑えられているわけではない。このため、このままでは、変形を抑えつつワックスパターン４０を本模型３０から取り外すことはできない。
【００２７】
そこで、本発明では、図２（ｂ）に示すように、ワックス４２を用いて本発明に係る部分義歯製造用糸状体１０をワックスパターン４０に固定している。
【００２８】
図１は、本発明に係る部分義歯製造用糸状体（以下、本糸状体ということがある。）の一例を示したものである。図１に示すように、本糸状体１０は、基材となる撚糸１２と、撚糸１２に浸み込ませて硬化させた接着剤１４と、から構成されている。
【００２９】
本糸状体１０において、撚糸１２および接着剤１４は、いずれも加熱消失性を有する有機材料で構成されており、これらからなる本糸状体１０は、加熱消失性を有する有機材料からなる。加熱消失性とは、加熱条件下で燃焼消失あるいは分解消失する性質であり、耐火性埋没材中でワックスパターン４０を消失させる際の加熱条件下で加熱によってワックスと同様に消失することをいう。ワックスパターン４０を消失させる際の加熱温度は一般に１０００℃程度であり、鋳型への影響を考えたときに、この条件で容易に消失することが好ましく、炭化物などの残渣を残さないことが好ましい。
【００３０】
撚糸１２を構成する有機材料としては、天然繊維、合成繊維などが挙げられる。天然繊維としては、木綿（綿）や麻などの植物繊維、羊毛や絹などの動物繊維などが挙げられる。合成繊維は、ポリエステルやポリアミドなどの有機高分子から製造される繊維、天然繊維（天然高分子）を原料にして製造されるレーヨンなどの再生繊維、天然繊維（天然高分子）を改質して製造されるセルロース系などの半合成繊維を含む。
【００３１】
接着剤１４は、撚糸１２を直線状に成形・維持できる硬化性を有するものであれば特に限定されるものではない。接着剤１４を構成する有機材料としては、シアノアクリレート系接着剤、アクリレート系接着剤、エポキシ系接着剤、シリコーン系接着剤などが挙げられる。これらのうちでは、瞬時に硬化することができるなどの観点から、シアノアクリレート系接着剤が好ましい。また、無溶剤で用いることができるなどの観点から、シアノアクリレート系接着剤、アクリレート系接着剤、エポキシ系接着剤、シリコーン系接着剤が好ましい。
【００３２】
本糸状体１０は、有機材料からなる撚糸１２に接着剤１４を浸み込ませて硬化させたものからなる。単糸ではなく撚糸のほうが、接着剤１４を浸み込みやすい。したがって、ムラなく均一に接着剤１４を塗布できる観点から、単糸ではなく撚糸のほうが好ましい。また、接着剤１４は、浸み込みやすく、ムラなく均一に接着剤１４を塗布できる観点から、低粘度のものがより好ましい。この観点から、シアノアクリレート系接着剤、アクリレート系接着剤がより好ましい。
【００３３】
本糸状体１０は、撚糸１２に接着剤１４を浸み込ませて硬化させたことにより、直線状に成形されている。また、曲げ変形可能な弾性と曲げ方向の弾性復元力を備えている。そして、曲げ変形可能な弾性と曲げ方向の弾性復元力を備えていることで、直線状に形状が維持されている。
【００３４】
曲げ変形可能な弾性は、ワックス４２を用いてワックスパターン４０に固定するときに必要な特性である。直線状に成形された本糸状体１０をワックスパターン４０に固定すると、歪が生じる。固定に用いるワックス４２は比較的軟らかい材料であるため、本糸状体１０の剛性が高く反発しやすいものだと、歪によって本糸状体１０の固定部分がワックスパターン４０から外れるおそれがある。曲げ変形可能な弾性を有することで、歪を緩和し、本糸状体１０の固定部分がワックスパターン４０から外れないようにすることができる。また、固定に用いるワックス４２の量を少なくすることができる。
【００３５】
曲げ方向の弾性復元力は、直線状に形状を維持する意味で重要な特性である。曲げ変形可能な弾性を有するだけで曲げ方向の弾性復元力を備えていないと、直線状に形状を維持することができず、ワックスパターン４０や本糸状体１０に力が作用したときに容易に変形して、ワックスパターン４０の形状を維持することができない。
【００３６】
本糸状体１０は、剛性を抑え、曲げ変形可能な弾性を確保しやすい、曲げ方向の弾性復元力を確保しやすい、固定に用いるワックス４２の量を少なくできるなどの観点から、比較的細い形状であることが好ましい。この観点から、例えば直径が０．５〜２．０ｍｍの範囲内であることが好ましい。より好ましくは０．５〜１．５ｍｍの範囲内である。
【００３７】
以上のように、本糸状体１０は、曲げ変形可能な弾性と曲げ方向の弾性復元力で直線状に形状が維持されるものであるため、ワックスパターン４０の所定位置に固定することで、本模型３０に作製したワックスパターン４０を本模型３０から取り外してもワックスパターン４０の形状を維持することができる。したがって、複模型や雌型を作製する必要がないため、製造コストに優れるとともに位置精度に優れるフレームおよびクラスプの一体品を鋳造できる。
【００３８】
ここで、部分義歯のための金属フレームは、クラスプの位置が重要であり、部分義歯２０のように２つ以上のクラスプを有するものは、クラスプ間の距離が特に重要である。クラスプは微細な構造であるため、ワックスパターンのクラスプに相当する部位は特に変形しやすい。少しの変形でもクラスプに相当する複数部位間の距離が変わってしまう。そうすると、得られた金属フレームにおいて、クラスプの浮きや位置ずれなどが生じて、調節に多大な労力を要する。また、精度が悪くなる。金属フレーム２６においては、左クラスプ２６４と右クラスプ２６６の距離が特に重要である。
【００３９】
そこで、本糸状体１０は、ワックスパターン４０におけるクラスプに相当する複数部位間（ａ−ｂ間）の距離を一定に維持するように固定することが好ましい。これにより、金属フレーム作製後における調節の負荷を少なくすることができる。また、より精度の高いフレームおよびクラスプの一体品を鋳造することができる。このためには、例えば、図２（ｂ）に示すように、ワックスパターン４０におけるクラスプに相当する部位ａ，ｂに、ワックス４２を用いて本糸状体１０の端部を固定することが好ましい。
【００４０】
図２（ｂ）に示すように、本糸状体１０（１０ａ）は、ワックスパターン４０の大連結部に相当するＣ部の中位置と連結部Ｄの中位置を橋渡しするようにそれぞれの位置にワックス４２を用いてその端部を固定している。本糸状体１０（１０ｂ）は、本糸状体１０ａと左クラスプに相当するａ部を橋渡しするようにそれぞれの位置にワックス４２を用いてその端部を固定している。本糸状体１０（１０ｃ）は、本糸状体１０ａと右クラスプに相当するｂ部を橋渡しするようにそれぞれの位置にワックス４２を用いてその端部を固定している。こうして、本糸状体１０ａ〜１０ｃによってａ部とｂ部の間の距離が一定に維持されるようにしている。つまり、クラスプに相当する複数部位間（ａ−ｂ間）の距離を一定に維持している。このように本糸状体１０ａ〜１０ｃをワックスパターン４０に固定することで、図２（ｃ）に示すように、確実に変形を抑えつつワックスパターン４０を本模型３０から取り外すことができる。
【００４１】
本模型３０から取り外した本糸状体１０とワックスパターン４０は、そのままの形で耐火性の埋没材に埋没させる。本模型３０とともに埋没させる必要がないことから、本模型３０により埋没スペースが占有されないので、所定のスペースに対しワックスパターン４０を埋没させるスペースがその分大きくなる。このため、従来は複模型とともにワックスパターンを１つしか埋没することができなかったところに、例えば２つ以上の異なるワックスパターンをまとめて埋没することができる。これにより、生産性を向上させることができる。
【００４２】
耐火性埋没材の加熱は、所定の炉内で行われる。ワックスパターン４０を消失させるために、加熱温度は一般に１０００℃程度となる。本糸状体１０ａ〜１０ｃは加熱消失性を有する有機材料からなるので、ワックスパターン４０とともに消失する。得られた金属フレーム形の鋳型に、溶融金属を流し込む。鋳造は真空溶解で行うので、鋳巣などの欠陥のない金属フレームが得られる。また、湯回りがよくなる。本糸状体１０ａ〜１０ｃの跡は、クラスプに相当する部位につながっている。これにより、微細なクラスプに相当する部位に溶融金属を流れやすくする効果も期待できるため、湯回りをさらに向上させる効果が期待できる。
【００４３】
鋳造された金属フレームは、耐火性埋没材から取り出される。得られた金属フレームは、研磨等を行って微調整する。そして、図７に示すように、本模型３０に対し、所定の位置に金属フレーム２６を装着し、本模型３０上での適合、維持力、着脱感などをチェックする。左小連結部と右小連結部とが別体であったり、小連結部のうちでもクラスプやレストが別体であったりすると、各ピースを単独でしかチェックすることができないが、これらが全て一体となっていることで、強度の向上が図れるだけでなく、義歯床の形成前に各部位の位置関係が定まっているので、義歯床の形成前に総合的に適合、維持力、着脱感をチェックすることができる。
【００４４】
以上により、金属フレーム２６が作製される。作製した金属フレーム２６に対し、義歯床および人工歯を固定して、本発明に係る部分義歯を作製する。以下に、その詳細について説明する。図３は、部分義歯の製造方法の一例を示したものである。
（６）本模型３０に対し、所定の位置に金属フレーム２６を装着する（図３（ａ））。
（７）本模型３０に対し、金属フレーム２６と一体になるように、義歯床形のワックスパターン４４を作製する（図３（ｂ））。
（８）義歯床形のワックスパターン４４と一体になるように、欠損部に人工歯２４を配置する（図３（ｂ））。
（９）本模型３０とともに金属フレーム２６、義歯床形のワックスパターン４４および人工歯２４を非耐火性の埋没材に埋没させる。
（１０）湯煎にて非耐火性の埋没材ごと加熱し、ワックスを排出口から流出させ、義歯床形の樹脂成形型を作製する。
（１１）義歯床形の樹脂成形型に樹脂を填入し、硬化させて義歯床２２を作製する。
【００４５】
上記（８）で得られる、義歯床がワックスでできた仮の部分義歯は、通常、患者に対し試適が行われる。試適時に、人工歯の大きさ・配列・咬合や、金属フレームの適合・維持力・着脱感などをチェックする。仮の部分義歯は、金属フレームが一体成形されているので、完成前にこれらをチェックすることができる。
【００４６】
埋没材による埋没後は、硬化（重合）完了後までフラスコを開輪することなく、ワックスの流出、硬化を行うとよい。これにより、バリも出ず、咬合やクラスプ・レストの狂いも抑えられる。そうすると、完成した部分義歯の咬合調整を少なくすることができ、チェアタイムの削減を図ることができる。樹脂の硬化後、埋没材から掘り出しを行い、部分義歯を取り出す。研磨・微調整を行い、部分義歯２０が完成する。
【００４７】
金属フレーム２６の材料は、歯科用金属材料として用いられる金属材料を用いることができる。軽量、耐腐食性、機械的性質、鋳造性などに優れる材料として、例えばコバルト合金やニッケル合金などが好ましく用いられる。義歯床２２の材料は、アクリル樹脂などの歯科用樹脂材料として用いられる樹脂材料を用いることができる。人工歯２４の材料は、樹脂、セラミックなどの歯科用材料を用いることができる。
【００４８】
以上、本発明の実施の形態について詳細に説明したが、本発明は上記実施の形態に何ら限定されるものではなく、本発明の要旨を逸脱しない範囲で種々の改変が可能である。
【００４９】
例えば上記実施形態では、本糸状体１０は撚糸１２に接着剤１４を浸み込ませて硬化させたものから構成されているが、本発明において用いる糸状体は、この構成に限定されるものではなく、加熱消失性を有すること、曲げ変形可能な弾性と曲げ方向の弾性復元力を備えること、直線状に形状が維持されること、の特性を有するものであれば、単糸に接着剤を浸み込ませて硬化させたものや、比較的高弾性の有機高分子からなる単繊維あるいは繊維束で構成されて接着剤により硬化させていないものなどであってもよい。
【００５０】
また、上記実施形態では、Ｃ部の中位置と連結部Ｄの中位置を橋渡しするように本糸状体１０ａを固定し、本糸状体１０ａとａ部を橋渡しするように本糸状体１０ｂを固定し、本糸状体１０ａとｂ部を橋渡しするように本糸状体１０ｃを固定しているが、本糸状体１０の固定形態はこれに限定されるものではない。例えば、ａ部とｂ部を橋渡しするように本糸状体１０ａを固定し、本糸状体１０ａの中位置と連結部Ｄの中位置を橋渡しするように本糸状体１０ｂを固定するものであってもよい。
【符号の説明】
【００５１】
１０  部分義歯製造用糸状体
１２  撚糸
１４  接着剤
２０  部分義歯
２２  義歯床
２４  人工歯
２６  金属フレーム
３０  本模型
４０  ワックスパターン
４２  ワックス
【図１】
2018015390.tif 000003
【図２】
2018015390.tif 000004
【図３】
2018015390.tif 000005
【図４】
2018015390.tif 000006
【図５】
2018015390.tif 000007
【図６】
2018015390.tif 000008
【図７】
2018015390.tif 000009
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
基材となる１本の撚糸と前記撚糸に浸み込ませて硬化させた接着剤とから構成された糸状体であり、前記撚糸および前記接着剤が加熱消失性を有する有機材料で構成され、前記撚糸に前記接着剤を浸み込ませて硬化させ直線状に成形したことにより曲げ変形可能な弾性と曲げ方向の弾性復元力を備えて直線状に形状が維持されており、部分義歯用の幅狭薄厚棒状の金属フレームを形成するための幅狭薄厚棒状のフレーム形のワックスパターンのフレーム形状を維持するために用いられ、前記ワックスパターンの部位間を橋渡しするようにワックスを用いて前記ワックスパターンに固定することにより前記ワックスパターンのフレーム形状を維持するものであることを特徴とする部分義歯製造用糸状体。
【請求項２】
直径が０．５〜２．０ｍｍの範囲内であることを特徴とする請求項１に記載の部分義歯製造用糸状体。
【請求項３】
前記接着剤が、シアノアクリレート系接着剤またはエポキシ系接着剤であることを特徴とする請求項１または２に記載の部分義歯製造用糸状体。
【請求項４】
請求項１から３のいずれか１項に記載の部分義歯製造用糸状体を用いた部分義歯用金属フレームの製造方法であって、
本模型に前記フレーム形のワックスパターンを作製する工程と、
前記ワックスパターンの部位間を橋渡しするようにワックスを用いて前記ワックスパターンに前記部分義歯製造用糸状体の１本以上を固定する工程と、
前記部分義歯製造用糸状体とともに前記ワックスパターンを前記本模型から取り外し、耐火性埋没材に埋没させる工程と、
該耐火性埋没材ごと加熱し、前記部分義歯製造用糸状体とともに前記ワックスパターンを消失させて、前記フレーム形の鋳型を作製する工程と、
前記フレーム形の鋳型に溶融金属を流し込んで金属フレームを鋳造する工程と、
を有することを特徴とする部分義歯用金属フレームの製造方法。
【請求項５】
前記ワックスパターンにおけるクラスプに相当する部位に、ワックスを用いて前記部分義歯製造用糸状体の端部を固定することを特徴とする請求項４に記載の部分義歯用金属フレームの製造方法。
【請求項６】
請求項４または５に記載の製造方法で製造された部分義歯用金属フレームに対し、樹脂製の義歯床および人工歯を固定することを特徴とする部分義歯の製造方法。